(57)【特許請求の範囲】
【請求項１】
外部からの電気部品と接続される外部部品接続用端子と、コンデンサの端子と接続される２つのコンデンサ接続用端子と、固定子鉄心に絶縁体を介して巻装した固定子巻線に接続される端子とを備えた端子台本体を、前記絶縁体を介して前記固定子巻線の反固定子鉄心側に設け、ハウジング内に前記コンデンサが接続された前記端子台本体と前記固定子と回転子を収納したコンデンサ電動機において、
前記コンデンサ接続用端子は、前記コンデンサの端子が２つとも同一方向から挿着されるように、かつ、前記コンデンサが前記コンデンサ電動機の回転子の軸に対して略直角方向に挿着されるように形成したコンデンサ電動機。
【請求項２】
外部からの電気部品と接続される外部部品接続用端子と、コンデンサの端子と接続される２つのコンデンサ接続用端子と、固定子鉄心に絶縁体を介して巻装した固定子巻線に接続される端子とを備え、回転子を挿通可能とする開口が形成された端子台本体を、前記絶縁体を介して前記固定子巻線の反固定子鉄心側に設け、ハウジング内に前記コンデンサが接続された前記端子台本体と前記固定子と回転子を収納したコンデンサ電動機において、前記コンデンサ接続用端子は、前記コンデンサの端子が２つとも同一方向から挿着されるように、かつ、前記コンデンサが前記回転子の軸に対して略直角方向に挿着されるように形成したコンデンサ電動機。
【請求項３】
コンデンサの端子を、このコンデンサの固定子鉄心側に配設する構成とした請求項１または２記載のコンデンサ電動機。
【請求項４】
回転軸に最も近いコンデンサの箇所が回転子の外周面より内側に位置する構成とした請求項１、２または３記載のコンデンサ電動機。
【請求項５】
絶縁体に巻回した固定子巻線のたおれを防止する内壁部および外壁部を設け、前記外壁部に凸部を形成するとともに、端子台本体の下面に前記凸部と係合する係合部を設けた請求項１〜４のいずれかに記載のコンデンサ電動機。
【請求項６】
絶縁体に巻回した固定子巻線のたおれを防止する内壁部および外壁部を設け、前記内壁部に前記固定子巻線の始終端を絡げ保持する導電ピンを圧入保持する細孔を設けた凸部を形成するとともに、コンデンサの下面に前記凸部に係合する爪部を設けた請求項１〜５のいずれかに記載のコンデンサ電動機。
【請求項７】
絶縁体を介して巻装される固定子巻線は少なくとも二つの主巻線と少なくとも二つの補助巻線を個別に集中巻装され交互に配列してなり、それぞれの巻線の始終端を絡げ保持する導電ピンを、前記主巻線を巻装する一つの絶縁体の内壁部の２ヶ所と、同じく隣接する前記補助巻線を巻装する一つの絶縁体の内壁部の２ヶ所のみに設ける構成とした請求項１〜４のいずれかに記載のコンデンサ電動機。
【請求項８】
端子台本体の外部部品接続用端子に接続されるコネクタは、リード線と端子部とを内部で連結するケース部と、前記コネクタを前記外部部品接続用端子に接続したとき、コンデンサ電動機の外郭をなすモータハウジングの外側面に当接する鍔部とからなり、これらを樹脂等で一体に成形した請求項１〜７のいずれかに記載のコンデンサ電動機。
【請求項９】
コネクタのケース部とリード線の充電部との間に樹脂を充填した請求項８記載のコンデンサ電動機。
【請求項１０】
コネクタのケース部を端子部毎に分割して成形した請求項８または９記載のコンデンサ電動機。
【請求項１１】
絶縁体を介して端子台本体を取り付けた固定子を、反端子台本体側からコンデンサ電動機の外郭をなすモータハウジングに圧入嵌合し、軸受を取り付けた回転子を、前記端子台本体の前記回転子を挿通可能とする開口に挿入した後、コンデンサの端子を回転子の軸に対し略直角方向にコンデンサ接続用端子に挿着する組立工程を有する請求項２記載のコンデンサ電動機の製造方法。
【請求項１２】
外部からの電気部品と接続される外部部品接続用端子と、コンデンサの端子と接続される２つのコンデンサ接続用端子と、固定子鉄心に絶縁体を介して巻装した固定子巻線に接続される端子とを備えた端子台本体を前記絶縁体を介して前記固定子巻線の反固定子鉄心側に設け、ハウジング内に前記コンデンサが接続された前記端子台本体と前記固定子と回転子を収納したコンデンサ電動機において、前記コンデンサ接続用端子は、前記コンデンサの端子が２つとも同一方向から挿着されるように、かつ、前記コンデンサが回転子の軸に対して略直角方向に挿着されるように形成するとともに、前記コンデンサは前記コンデンサ接続用端子に挿着されたとき、コンデンサ電動機の外郭をなすモータハウジングに設けたコンデンサ挿通孔から突出させる構成としたコンデンサ電動機。
【発明の詳細な説明】
【０００１】
【発明の属する技術分野】
本発明は、扇風機または換気扇等のファン駆動に用いられ、コンデンサを取り付ける端子台を有する小型のコンデンサ電動機に関する。
【０００２】
【従来の技術】
近年、この種のコンデンサ電動機には、合理化を追求するために、固定子鉄心に巻装した固定子巻線の電気的接続にプリント基板または導電板をモールド成型した端子台を用いると同時に、これらのプリント基板上または端子台上にコンデンサを装着することで製造工数の削減および部品点数の削減を図る構成が普及してきている。
【０００３】
以下、そのコンデンサ電動機について図１３および図１４を参照しながら説明する。
【０００４】
図１３および１４に示すように、固定子鉄心１０１に樹脂成型等による絶縁体１０２を装着したものに巻線１０３を巻回し、巻線１０３の上方にプリント基板１０４を載置し、固定子１１４を構成する。プリント基板１０４には、その中央の開口１１３を取り囲むように巻線１０３を絡げた導電ピン１１１と、コンデンサ１０７と、温度ヒューズ１０８とを配設し、それぞれを電気的に接続する。そして固定子１１４をハウジングＡ１０５およびハウジングＢ１０６内部に収納するとともに、軸受１１５を圧入嵌合した回転子１１０を回転自在に保持する構成であった。
【０００５】
【発明が解決しようとする課題】
このような従来の構成では、コンデンサ１０７の電極部１０７ａはコンデンサ厚み寸法Ｈのほぼ中央に設けられているのが一般的で、このコンデンサ１０７をプリント基板１０４の上面に載せるように装着するため、ハウジングＢ１０６と電極部１０７ａとの電気的な絶縁距離すなわち空間距離を確保する必要性からハウジングＢ１０６の軸方向寸法を大きくすることになり、電動機の軸方向の全長が大きくなるという課題があった。また、選定するコンデンサ１０７の形状寸法が制限され、これによって使用できるコンデンサの容量が制限されるという課題があった。
【０００６】
本発明は、このような従来の課題を解決するものであり、コンデンサをモータハウジングの内部に収納する電動機において、電動機の軸方向寸法を小さくすることができるコンデンサ電動機を提供することを第１の目的とする。
【０００７】
また、コンデンサ容量の使用範囲を拡大することのできるコンデンサ電動機を提供することを第２の目的とする。
【０００８】
【課題を解決するための手段】
本発明のコンデンサ電動機の第１の目的を達成するために第１の手段は、外部からの電気部品と接続される外部部品接続用端子と、コンデンサの端子と接続される２つのコンデンサ接続用端子と、固定子鉄心に絶縁体を介して巻装した固定子巻線に接続される端子とを備えた端子台本体を、前記絶縁体を介して前記固定子巻線の反固定子鉄心側に設け、ハウジング内に前記コンデンサが接続された前記端子台本体と前記固定子と回転子を収納したコンデンサ電動機において、前記コンデンサ接続用端子は、前記コンデンサの端子が２つとも同一方向から挿着されるように、かつ、前記コンデンサが前記コンデンサ電動機の回転子の軸に対して略直角方向に挿着されるように形成したものである。
【０００９】
本発明によれば、コンデンサをモータハウジングの内部に収納する電動機において、電動機の軸方向寸法を小さくすることができるコンデンサ電動機を提供することができる。
【００１０】
また、第２の目的を達成するために第２の手段は、外部からの電気部品と接続される外部部品接続用端子と、コンデンサの端子と接続される２つのコンデンサ接続用端子と、固定子鉄心に絶縁体を介して巻装した固定子巻線に接続される端子とを備え、回転子を挿通可能とする開口が形成された端子台本体を、前記絶縁体を介して前記固定子巻線の反固定子鉄心側に設け、ハウジング内に前記コンデンサが接続された前記端子台本体と前記固定子と回転子を収納したコンデンサ電動機において、前記コンデンサ接続用端子は、前記コンデンサの端子が２つとも同一方向から挿着されるように、かつ、前記コンデンサが前記回転子の軸に対して略直角方向に挿着されるように形成したものである。
【００１１】
本発明によれば、コンデンサ容量の使用範囲を拡大することのできるコンデンサ電動機を提供することができる。
【００１２】
【発明の実施の形態】
本発明の請求項１に記載の発明は、外部からの電気部品と接続される外部部品接続用端子と、コンデンサの端子と接続される２つのコンデンサ接続用端子と、固定子鉄心に絶縁体を介して巻装した固定子巻線に接続される端子とを備えた端子台本体を、前記絶縁体を介して前記固定子巻線の反固定子鉄心側に設け、ハウジング内に前記コンデンサが接続された前記端子台本体と前記固定子と回転子を収納したコンデンサ電動機において、前記コンデンサ接続用端子は、前記コンデンサの端子が２つとも同一方向から挿着されるように、かつ、前記コンデンサが前記コンデンサ電動機の回転子の軸に対して略直角方向に挿着されるように形成したものであり、この端子とモータハウジングとの絶縁距離に余裕が生じ、電動機の軸方向寸法を小さくすることができるという作用を有する。
【００１３】
以下、本発明の実施の形態について図１〜図１２を参照しながら説明する。
【００１４】
（実施の形態１）
この実施の形態１のコンデンサ電動機は図１に示すように、固定子鉄心１および固定子鉄心１と一体化した絶縁体２を介し巻装された固定子巻線８からなる固定子３５と、固定子巻線８の上方に絶縁体２を介して載置され、コンデンサ２５などの電気部品を備えた端子台本体１５と、固定子３５内に挿入される回転子９と、回転子９を回転可能に保持し、固定子３５を内設するモータハウジングａ１２およびモータハウジングＢ１３とから構成されている。
【００１５】
固定子鉄心１は、図２に示すように、外周で磁路を形成する円弧状の継鉄部１ａにおいて複数に分割積層されたものを、樹脂により成型された絶縁体２に絶縁用フィルム（図示せず）を装着したもので上下から挟んで一体化してセグメントコアを構成する。絶縁体２は、固定子巻線８の倒れを防止する内壁部３および外壁部４を樹脂等で一体に成型されたもので、この外壁部４の複数箇所に角柱状の凸部６が立設されている。
【００１６】
なお、ここでは凸部６を角柱状としているが、円柱状または円錐、角錐形状でも良い。
【００１７】
そして、図３に示すように、セグメントコアには固定子鉄心１と固定子巻線８の電気的絶縁を行う絶縁体２を介して固定子巻線８が巻装され、その始終端は導電ピン７に巻かれている。
【００１８】
さらに、セグメントコアに固定子巻線８が巻装したものは、図４に示すように、二つの主巻線８ａと二つの補助巻線８ｂとが集中巻装されたものを交互に配列し、それぞれを互いに結合し一体に形成され固定子３５を構成する。それぞれの巻線の始終端を絡げ保持する絶縁体２の内壁部３の円柱状の凸部５に設ける導電ピン７は、主巻線８ａを巻装する二つの絶縁体２のうち一つの絶縁体２に主巻線巻き始め用導電ピン７ａと主巻線巻き終わり用導電ピン７ｂの２本と、同様に隣接する補助巻線を巻装する二つの絶縁体２のうち一つの絶縁体２に補助巻線巻き始め用導電ピン７ｃと補助巻線巻き終わり用導電ピン７ｄの２本のみ構成する。具体的な巻装構成は、この主巻線巻き始め用導電ピン７ａまたは補助巻線巻き始め用導電ピン７ｃから第１の主巻線８ａまたは補助巻線８ｂを巻装し、渡り線（図示せず）を中継して第２の主巻線８ａまたは補助巻線８ｂを巻回しさらに渡り線を引き回して主巻線巻き終わり用導電ピン７ｂまたは補助巻線巻き終わり用導電ピン７ｄにて巻き終える構成である。
【００１９】
端子台本体１５は、図５に示すように、固定子巻線８と接続される複数の端子２４と、端子台本体１５の外周部に外部部品の一つであるリード線３１を有するコネクタ２９と接続する外部部品接続用端子であるところのコネクタ接続用端子２１と、この外周部および内周側以外の端面にコンデンサ素子２５の一対のタブ形状の端子２６を接続するコンデンサ接続用端子２０と、温度ヒューズ１８の電気的な取り付け構造部１５ａと、電流ヒューズ１９の電気的な取り付け構造部１５ｂと、導電ピン７を係合するピン係合孔２２とを有し、樹脂材料等によりモールド成型して半円環状に形成されて開口１６を有している。また、図７に示すように、この導電板１７は、コネクタ接続用端子２１と、コンデンサ接続用端子２０と、温度ヒューズ１８の電気的な取り付け構造部１５ａと、電流ヒューズ１９の電気的な取り付け構造部１５ｂと、導電ピン７を係合するピン係合孔２２とを電気的にいくつかのグループになるように連結して端子台本体１５に内蔵されるものである。コンデンサ接続用端子２０は外方に向けて水平に開放されたタブ形状であり、端子の下面と、両側から折り返された上面との間で、弾性を有して、挿入されるコンデンサ２５の端子２６を挟持する。また、端子台本体１５の下面には係合部２３を設け、図７に示すように、係合部２３は絶縁体２の凸部６と互いに係合する構成とする。
【００２０】
さらに、端子台本体１５の外周部の径寸法はモータハウジングａ１２およびモータハウジングＢ１３の内周面の径寸法より小寸とするとともに、回転子９が回転子９の軸１０方向に挿通可能となる径寸法である半円状の開口１６が形成されている。また、ここでは端子台本体１５の形状を半円環状としているがその外形が扇形もしくは多角形でもよく、要は内縁側に回転子９が挿通可能である開口となる径寸法の開口１６が形成され、温度ヒューズ１８や電流ヒューズ１９等の取り付け可能なスペースが確保できる形状であればよい。さらに、開口１６の形状も円形状に限るものではなく、コの字型または多角形状でも良い。
【００２１】
図６に示すように、この端子台本体１５は、図４のセグメントコアに固定子巻線８が巻装したものを複数組み合わせた固定子３５の上方に載置され、図７に示すように絶縁体２の凸部６によって下方から支えられ、端子台本体１５の下面の係合部２３により周方向および径方向に移動しないように固持される。そして、コンデンサ２５の端子２６をコンデンサ接続用端子２０に挿着したとき、コンデンサ２５の端子２６を有する面は回転子の軸１０の外周面より内側に位置する。
【００２２】
なお、ここでは電流ヒューズ１９を取り付けた状態を説明しているが、電動機の使用環境によっては電流ヒューズ１９が不要の場合もある。
【００２３】
コンデンサ２５は、図８に示すように、両端側の一対のタブ形状の端子２６は下面に水平に板状に形成され、端子台本体１５に取り付けるとき、このコンデンサ２５は回転子の軸１０に対し、コンデンサ接続用端子２０に略直角方向に挿入することでコンデンサ接続用端子２０とコンデンサ２５を電気的に接続して一体化する構成とする。
【００２４】
また、一対の端子２６はコンデンサ２５の厚み方向の下方に位置するものである。ここで厚み方向の下方とは、回転子９の軸方向において固定子鉄心１により近づく側を意味する。
【００２５】
また、コンデンサ２５のタブ形状の端子２６を有する面の反対側の面の両端は、Ｒ部２７をなし、固定子３５の外周面に沿う形状となり、図６に示すようにコンデンサ２５の収容スペースを有効に活用できる。
【００２６】
なお、ここではコンデンサ２５の両端にＲ部２７を形成したが、面取り形状でもその作用効果に差異はない。
【００２７】
また、コンデンサ２５には、絶縁体２の内壁部３に導電ピン７の圧入保持ができる細孔を設けた円柱状の凸部５を立設するとともに、コンデンサ２５の下面に爪部２８を設ける。図９に示すように、コンデンサ２５を端子台本体１５に固定する際には、端子２６をコンデンサ接続用端子２０に挿着するとともに、爪部２８の端子２６側の弾性ガイド部２８ａの先端部が、凸部５に当接して外方へ変形し、凸部５の外周に沿って端子台本体１５側へ進出し、弾性ガイド部２８ａの先端部の内側面が凸部５の外周面にかかえこむように爪部２８と係合する。この先端部は内向しているため、コンデンサ２５が反端子台本体１５側に移動するのを防ぎ、端子２６の抜け防止効果を有する。
【００２８】
図１０に示すように、端子台本体１５の外周部のコネクタ接続用端子２１に接続するコネクタ２９は、リード線３１と端子部３０とを囲むケース部３２と、このケース部３２の長手方向のほぼ中央で鍔部３３とを樹脂等で一体に成形して形成され、図１に示すように、端子台本体１５のコネクタ接続用端子２１にコネクタ２９を接続したときに、鍔部３３はモータハウジングＢ１３に設けたコネクタ挿入孔１４の外周部に当接される。
【００２９】
また、図１１に示すように、コネクタ２９のケース部３２のリード線出口側にリード線３１を囲み、かつ端子部３０にかからないように樹脂を充填し充填部３４を形成し、充電部とケース部３２の間を埋める構成とする。また、コネクタ２９のケース部３２を端子部３０ごとに、つまり二つに分離して成形し、鍔部３３によって一体化して保持する。
【００３０】
なお、充填部３４を形成する樹脂材料はケース部３２を形成する樹脂材料と同じものでも良いし、異材質でも良い。要はケース部３２とリード線３１の充電部との隙間を埋めることができれば良い。
【００３１】
このコンデンサ電動機の製造するときは、巻装された固定子巻線８のコイルエンド部分に絶縁体２を介して端子台本体１５を取り付けた固定子３５を、反端子台本体側からモータハウジングａ１２に圧入嵌合し、軸受１１を取り付けた回転子９を端子台本体１５の開口１６に挿入設置した後、コンデンサ２５の端子２６を回転子の軸１０に対し略直角方向にコンデンサ接続用端子２０に差し込み、モータハウジングＢ１３を軸受１１を保持してフランジ同士を合わせ、モータハウジングａ１２とネジ等で固定し、コネクタ挿入孔１４にコネクタ２９を挿入しコネクタ接続用端子２１と接続する。
【００３２】
このように本発明の実施の形態１のコンデンサ電動機によれば、コンデンサ２５に設けるタブ形状の端子２６が、コンデンサ接続用端子２０に合致するように回転子９の軸に対して略直角方向に形成され、軸方向で固定子巻線８のコイルエンド部分により近く位置することになるから、この端子２６とモータハウジングＢ１３との必要な電気的絶縁距離すなわち空間距離に余裕が生じ、モータハウジングＢ１３の軸方向寸法を極力小さくすることができるため、電動機の軸方向寸法を小さくすることができる。
【００３３】
また、回転子９を挿通可能とする開口１６が形成された端子台本体１５のコンデンサ接続用端子２０を、コンデンサ２５が回転子の軸１０に対して略直角方向に挿着されるように形成したので、モータの組立工程において回転子９を端子台本体１５に設けた開口１６に挿通して組立した後、コンデンサ２５の軸方向の寸法がおさまる最小限の空間があればコンデンサ２５を端子台本体１５に装着することができることになる。また、コンデンサ２５を回転子の軸１０を間に挟んで差し込むことからコンデンサ２５の形状寸法に対する制約が緩和されコンデンサ容量の使用範囲を拡大することができる。
【００３４】
また、コンデンサ２５のタブ形状の端子２６をコンデンサ２５の厚み方向の固定子鉄心側に設けることにしたので、この端子２６とモータハウジングＢ１３との必要な電気的絶縁距離すなわち空間距離に余裕が生じ、モータハウジングＢ１３の軸方向寸法を小さくでき、電動機の軸方向寸法を小さくすることができる。
【００３５】
また、コンデンサ２５を端子台本体１５に接続した際に、コンデンサ２５の端子２６を有する面を、回転子９の外周面よりも内側に位置させたので、コンデンサ２５の寸法形状を固定子鉄心１の外周方向と内周方向に拡大することができ、使用できる容量のコンデンサの制約が緩和される。
【００３６】
また、絶縁体２の外壁部４に設けた角柱状の凸部６と端子台本体１５の底面に設けた係合部２３とを互いに係合することにしたので、固定子鉄心１の周方向に対する端子台本体１５の位置決めが容易にできる。
【００３７】
また、絶縁体２の内壁部３に設けた円柱状の凸部５の外周面とコンデンサ２５の底面に設けた爪部２８が係合するようにしたので、固定子鉄心１および端子台本体１５に対するコンデンサ２５の位置決めが確実にできる。
【００３８】
また、導電ピン７を主巻線８ａを巻装する一つの絶縁体２と、隣接の補助巻線８ｂを巻装する一つの絶縁体２に設けるので、この導電ピン７を介して取り付ける端子台本体１５の形状を最小限にし、すなわち２箇所の絶縁体２に跨る範囲だけでよいため、端子２４を電気的に連結するように形成された導電板１７の面積や使用する樹脂材料を最小限にすることができる。
【００３９】
また、コネクタ２９に鍔部３３を一体に成形したので、ハウジングＢ１４に設けたコネクタ挿入孔１４を他の部品を用いることなく覆うことができ、埃等の侵入を防止できる。
【００４０】
また、コネクタ２９のケース部３２のリード線側に樹脂を充填し充填部３４を形成したので、リード線側からの雨水または結露水等の浸入を防止することができる。
【００４１】
また、コネクタ２９のケース部３２を端子部３０毎に分離して樹脂成形したので、端子部３０間の耐トラッキング性の向上が図られる。
【００４２】
また、モータハウジングａ１２に固定子３５を圧入嵌合した後、軸受１１を取り付けた回転子９を端子台本体１５に形成された開口１６に挿入し、続いてコンデンサ２５の端子２６を回転子の軸１０に対し略直角方向からコンデンサ接続用端子２０に差し込む組立工程を有するので、コンデンサ２５の端子２６側の面が軸受１１に干渉することなくスムーズに組み立てることができる。
【００４３】
（実施の形態２）
図１２に示すように、モータハウジングＢ１３の外側面にコンデンサ挿通孔３５を設け、コンデンサ挿通孔３６に挿入してコンデンサ２５を端子台本体１５に取り付けたとき、コンデンサ２５はモータハウジングＢ１３から突出する構成とする。その他の同一符号の構成要素は実施の形態１と同様である。
【００４４】
コンデンサ２５を端子台本体１５に取り付けるときには、固定子鉄心１を圧入嵌合したモータハウジングａ１２に、軸受１１を取り付けた回転子９を設置し、端子台本体１５を固定子巻線８の上方に載置し、モータハウジングＢ１３を被せモータハウジングａ１２に固定した状態で、コンデンサ２５の端子２６をモータハウジングＢ１３の外方からコンデンサ挿通孔３６に挿入してコンデンサ接続用端子２０に挿着することとなる。
【００４５】
このように本発明の実施の形態２のコンデンサ電動機によれば、コンデンサ２５はモータハウジングＢ１３の外方から、挿入できるので、モータハウジングＢ１３を取り外すことなく、コンデンサの取り付けができ、コンデンサの交換または、コンデンサのみ異なる機種の製造が容易となる。
【００４６】
【発明の効果】
以上の実施例から明らかなように本発明によれば、外部からの電気部品と接続される外部部品接続用端子と、コンデンサの端子と接続されるコンデンサ接続用端子と、固定子鉄心に絶縁体を介して巻装した固定子巻線に接続される端子とを備えた端子台本体を、前記絶縁体を介して前記固定子巻線の反固定子鉄心側に設けたコンデンサ電動機において、前記コンデンサ接続用端子を、前記コンデンサが前記コンデンサ電動機の回転子の軸に対して略直角方向に挿着されるように形成したので、コンデンサの端子が軸方向で固定子巻線のコイルエンド部分により近く位置することとなり、コンデンサの端子と必要な電気的絶縁距離すなわち空間距離を確保するモータハウジングの軸方向寸法を小さくでき、電動機の軸方向寸法を小さくすることができるコンデンサ電動機を提供することができる。
【００４７】
また、外部からの電気部品と接続される外部部品接続用端子と、コンデンサの端子と接続されるコンデンサ接続用端子と、固定子鉄心に絶縁体を介して巻装した固定子巻線に接続される端子とを備え、回転子を挿通可能とする開口が形成された端子台本体を、前記絶縁体を介して前記固定子巻線の反固定子鉄心側に設けたコンデンサ電動機において、前記コンデンサ接続用端子を、前記コンデンサが前記回転子の軸に対して略直角方向に挿着されるように形成したので、モータの組立工程において回転子を端子台本体に設けた開口に挿通して組み立てた後、電動機の外郭であるモータハウジングの内面との間に、回転子の軸方向のコンデンサの寸法がおさまる最小限の空間があれば、コンデンサを端子台本体に装着することができることとなる。
【００４８】
また、コンデンサの端子を、前記コンデンサの固定子鉄心側に配設する構成としたので、この端子とモータハウジングとの間の必要な電気的絶縁距離に余裕が生じ、モータハウジングの軸方向寸法を小さくでき、電動機の軸方向寸法を小さくすることができる。
【００４９】
また、コンデンサの端子を有する面が回転子の外周面より内側に位置する構成としたので、コンデンサの大容量化による大型のコンデンサの寸法形状にも対応でき、コンデンサ容量に対する制約が緩和されコンデンサ容量の使用範囲を拡大することができる。
【００５０】
また、絶縁体に巻回した固定子巻線のたおれを防止する内壁部および外壁部を設け、前記外壁部に凸部を形成するとともに、端子台本体の下面に前記凸部と係合する係合部を設けたので、固定子鉄心の周方向または軸方向に対する端子台本体の位置決めが容易かつ確実になり、組み付け精度の向上を図ることができる。
【００５１】
また、絶縁体に巻回した固定子巻線のたおれを防止する内壁部および外壁部を設け、前記内壁部に前記固定子巻線の始終端を絡げ保持する導電ピンを圧入保持する細孔を設けた凸部を形成するとともに、コンデンサの下面に前記凸部に係合する爪部を設けたので、コンデンサを端子台本体に接続する際、端子台本体および絶縁体に対するコンデンサの位置決めが容易にかつ確実になり、組み付け精度の向上を図ることができる。
【００５２】
また、絶縁体を介して巻装される固定子巻線は少なくとも二つの主巻線と少なくとも二つの補助巻線を個別に集中巻装され交互に配列してなり、それぞれの巻線の始終端を絡げ保持する導電ピンを、前記主巻線を巻装する一つの絶縁体の内壁部の２ヶ所と、同じく隣接する前記補助巻線を巻装する一つの絶縁体の内壁部の２ヶ所のみに設ける構成としたので、取り付ける端子台本体を最小限に成形できることになり、成形のための樹脂および導電用端子の材料を合理化することができる。
【００５３】
また、端子台本体の外部部品接続用端子に接続されるコネクタは、リード線と端子部とを内部で連結するケース部と、前記コネクタを前記外部部品接続用端子に接続したとき、コンデンサ電動機の外郭をなすモータハウジングの外側面に当接する鍔部とからなり、これらを樹脂等で一体に成形したので、モータ内部への埃等の侵入の防止を別個の部品を用いることなく、品質の向上を図ることができる。
【００５４】
また、コネクタのケース部とリード線の充電部との間に樹脂を充填したので、複雑な構造を採用しなくても防水構造が実現でき、リード線側からの雨水や結露水等の浸入を防止でき品質の向上を図ることができる。
【００５５】
また、コネクタのケース部を端子部毎に分割して成形したので、端子部間の耐トラッキング性の向上が図れ、品質の向上を図ることができる。
【００５６】
また、絶縁体を介して端子台本体を取り付けた固定子を、反端子台本体側からコンデンサ電動機の外郭をなすモータハウジングに圧入嵌合し、軸受を取り付けた回転子を、前記端子台本体の前記回転子を挿通可能とする開口に挿入した後、コンデンサの端子を回転子の軸に対し略直角方向にコンデンサ接続用端子に挿着する組立工程を有するので、コンデンサの端子側の面が回転子軸側に拡大されるようなコンデンサ容量の大きいコンデンサを使用した場合、回転子に取り付けられた軸受にコンデンサが当たることなく組立作業を行うことができる。
【００５７】
また、外部からの電気部品と接続される外部部品接続用端子と、コンデンサの端子と接続されるコンデンサ接続用端子と、固定子鉄心に絶縁体を介して巻装した固定子巻線に接続される端子とを備えた端子台本体を前記絶縁体を介して前記固定子巻線の反固定子鉄心側に設けたコンデンサ電動機において、前記コンデンサ接続用端子を、前記コンデンサが回転子の軸に対して略直角方向に挿着されるように形成するとともに、前記コンデンサは前記コンデンサ接続用端子に挿着されたとき、コンデンサ電動機の外郭をなすモータハウジングに設けたコンデンサ挿通孔から突出させる構成としたので、モータハウジングを取り外すことなく、コンデンサを取り付けることができ、コンデンサの交換および後組立てが容易となる。
【図面の簡単な説明】
【図１】本発明の実施の形態１のコンデンサ電動機を示す側断面図
【図２】同コンデンサ電動機の絶縁体を装着した固定子鉄心であるセグメントコアを示す斜視図
【図３】同コンデンサ電動機のセグメントコアに固定子巻線を巻装した状態を示す斜視図
【図４】同コンデンサ電動機の固定子を示す平面図
【図５】同コンデンサ電動機の端子台本体を示す平面図
【図６】同コンデンサ電動機の端子台本体を固定子に載置した状態を示す断面図
【図７】同コンデンサ電動機の図６のａ−ａ線に沿う部分拡大断面図
【図８】同コンデンサ電動機のコンデンサを示す斜視図
【図９】同コンデンサ電動機のコンデンサケースの取り付け状態を示す一部透過の平面図
【図１０】同コンデンサ電動機のコネクタを示す斜視図
【図１１】同コンデンサ電動機のコネクタを示す断面図
【図１２】本発明の実施の形態２のコンデンサ電動機を示す側断面図
【図１３】従来のコンデンサ電動機を示す側断面図
【図１４】同コンデンサ電動機のプリント基板を示す平面図
【符号の説明】
１      固定子鉄心
２      絶縁体
３      内壁部
４      外壁部
５      凸部
６      凸部
７      導電ピン
８      固定子巻線
９      回転子
１０    回転子の軸
１１    軸受
１５    端子台本体
１６    開口
２０    コンデンサ接続用端子
２１    コネクタ接続用端子（外部部品接続用端子）
２３    係合部
２４    端子
２５    コンデンサ
２６    端子
２８    爪部
２９    コネクタ
３０    端子部
３２    ケース部
３３    鍔部
３４    充填部
３５    固定子
３６    コンデンサ挿通孔
【図１】
0004463395.tif 000002
【図２】
0004463395.tif 000003
【図３】
0004463395.tif 000004
【図４】
0004463395.tif 000005
【図５】
0004463395.tif 000006
【図６】
0004463395.tif 000007
【図７】
0004463395.tif 000008
【図８】
0004463395.tif 000009
【図９】
0004463395.tif 000010
【図１０】
0004463395.tif 000011
【図１１】
0004463395.tif 000012
【図１２】
0004463395.tif 000013
【図１３】
0004463395.tif 000014
【図１４】
0004463395.tif 000015